(57)【特許請求の範囲】
【請求項１】
投入された硬貨を選別する硬貨選別手段と、前記硬貨選別手段にて選別された硬貨を振り分ける硬貨振り分け手段と、前記硬貨選別手段にて正貨と判定された硬貨を一時的に保留する投入硬貨一時保留手段と、前記投入硬貨一時保留手段にて一時保留された硬貨を収納するとともに収納硬貨を返却口に払い出し可能な硬貨収納手段と、前記硬貨選別手段による選別結果に応じて前記硬貨振り分け手段を振り分け制御する制御手段とを備えた硬貨処理装置において、
前記投入硬貨一時保留手段にて一時保留可能な枚数の第１設定値と前記第１設定値より大きな第２設定値とを設定する枚数設定手段と、
前記硬貨選別手段にて正貨と判定された硬貨の枚数と前記枚数設定手段にて設定された前記第１および第２設定値とを比較して、前記正貨と判定された硬貨を、前記正貨と判定された硬貨の枚数が前記第１設定値に達するまでは前記投入硬貨一時保留手段へ導き、前記正貨と判定された硬貨の枚数が前記第１設定値を超えて第２設定値に達するまでは金庫に導き、前記正貨と判定された硬貨の枚数が前記第２設定値を超えた場合は返却口に導くよう前記硬貨振り分け手段を制御する一時保留枚数制御手段と、
を少なくとも１金種分備えていることを特徴とする硬貨処理装置。
【請求項２】
前記一時保留枚数制御手段は、前記正貨と判定された硬貨の枚数が前記第１設定値を超えて第２設定値に達するまでの間にあるとき、前記正貨と判定された硬貨の金種に対応する前記硬貨収納手段の硬貨チューブに返却分の枚数が収納されていることを条件に、前記正貨と判定された硬貨を前記金庫に導くようにしたことを特徴とする請求項１記載の硬貨処理装置。
【請求項３】
前記一時保留枚数制御手段は、前記正貨と判定された硬貨の枚数が前記第１設定値を超えて第２設定値に達するまでの間にあるとき、前記正貨と判定された硬貨の金種に対応する前記硬貨収納手段の硬貨チューブの収納状態に余裕があることを条件に、一時保留された硬貨を前記硬貨チューブに送って前記投入硬貨一時保留手段の保留スペースを確保するようにしたことを特徴とする請求項１記載の硬貨処理装置。
【請求項４】
前記第２設定値を前記第１設定値と等しい値に切り替えて、前記第１設定値を超えて前記正貨と判定された硬貨をすべて返却口に導くようにすることができる設定スイッチを備えていることを特徴とする請求項１記載の硬貨処理装置。
【発明の詳細な説明】
【０００１】
【発明の属する技術分野】
本発明は硬貨処理装置に関し、特に自動販売機などに内蔵されて投入された硬貨を一時保留しておく機構を備えた硬貨処理装置に関する。
【０００２】
【従来の技術】
自動販売機などの硬貨を扱う装置では、投入された硬貨の種類を選別し、選別された硬貨を金種別に収納し、収納された硬貨を釣銭として払い出す機能を備えた硬貨処理装置が内蔵されている。
【０００３】
従来の硬貨処理装置は、投入された硬貨が硬貨チューブに下から順に収納されていき、釣銭が必要な時に、硬貨チューブに貯えられた硬貨、あるいは釣銭専用に設けられた補助釣銭用チューブに貯えられた硬貨を、チューブの最下部より払い出す構造となっている。
【０００４】
この場合、硬貨を投入し、無販売のまま返却操作が行われると、当然投入金額分の硬貨はそのまま返却されるが、返却硬貨は硬貨チューブあるいは補助釣銭用チューブの最下部より払い出されるため、投入した硬貨とは異なる硬貨が返却されることになる。そのため、硬貨処理装置が正貨と誤判別する偽貨を投入し、返却操作を行った場合に、偽貨が硬貨チューブに貯えられ、硬貨チューブの最下部より正貨が払い出されてしまい、偽貨から正貨へのすり替えが起きてしまうことになる。
【０００５】
特開平１１−２８８４８０号公報には、硬貨が投入された場合、その硬貨を硬貨チューブに導かずに一時保留しておき、返却操作があった場合には、その一時保留しておいた硬貨をそのまま返却することが提案されている。
【０００６】
この提案によれば、硬貨が投入されると、その経路上に設けられたストッパが投入された硬貨を一時保留する。そして、自動販売機側から硬貨の返却指令または商品の購入指令が送られると、ストッパが通路から退避し、その下流側に設けられたゲートが硬貨の返却指令または商品の購入指令に応じて動作する。すなわち、商品が購入されずに硬貨の返却指令があると、一時保留された硬貨を返却口へ導く通路にゲートを切り替え、商品の購入指令の場合は、硬貨チューブへ導く通路にゲートを切り替える。
【０００７】
【発明が解決しようとする課題】
しかしながら、このような投入硬貨を一時保留する機構を備えたことにより、硬貨を一時保留するスペースが必要なことから、投入硬貨の受け入れ枚数に制限があり、硬貨を一時保留するスペースが満杯になると、それ以上硬貨を受け入れることができないので、硬貨が投入されてもそのまま返却口へ戻してしまうため、この正貨の入金枚数制限により販売機会を逃してしまうという問題点がある。例えば、ある自動販売機で、１００円硬貨を一時保留することができる枚数が最大３枚である場合、投入された１００円硬貨が３枚になると、自動販売機内でそれ以上一時保留することができず、次の１００円硬貨を受け入れられないため、返却口に戻すしか方法がない。すなわち、４００円の販売商品を１００円硬貨４枚で買うことができないという問題が生じる。
【０００８】
本発明はこのような点に鑑みてなされたものであり、一時保留のためのスペースを広げることなく、硬貨の一時保留可能枚数よりも多くの枚数を受け入れることができる硬貨処理装置を提供することを目的とする。
【０００９】
【課題を解決するための手段】
投入された硬貨を選別する硬貨選別手段と、硬貨選別手段にて選別された硬貨を振り分ける硬貨振り分け手段と、硬貨選別手段にて正貨と判定された硬貨を一時的に保留する投入硬貨一時保留手段と、投入硬貨一時保留手段にて一時保留された硬貨を収納するとともに収納硬貨を返却口に払い出し可能な硬貨収納手段と、硬貨選別手段による選別結果に応じて硬貨振り分け手段を振り分け制御する制御手段とを備えた硬貨処理装置において、投入硬貨一時保留手段にて一時保留可能な枚数の第１設定値と第１設定値より大きな第２設定値とを設定する枚数設定手段と、硬貨選別手段にて正貨と判定された硬貨の枚数と枚数設定手段にて設定された第１および第２設定値とを比較して、正貨と判定された硬貨を、正貨と判定された硬貨の枚数が第１設定値に達するまでは投入硬貨一時保留手段へ導き、正貨と判定された硬貨の枚数が第１設定値を超えて第２設定値に達するまでは金庫に導き、正貨と判定された硬貨の枚数が第２設定値を超えた場合は返却口に導くよう硬貨振り分け手段を制御する一時保留枚数制御手段とを少なくとも１金種分備えていることを特徴とする硬貨処理装置が提供される。
【００１０】
このような硬貨処理装置によれば、投入硬貨一時保留手段にて一時保留可能な枚数の第１設定値と第１設定値より大きな第２設定値を枚数設定手段により設定して、一時保留枚数制御手段が、第１設定値より多く投入された硬貨は金庫へ収納し、さらに、第１設定値より大きな第２設定値よりも多く投入された硬貨は返却するよう硬貨振り分け手段を制御する構成にしたので、一時保留のためのスペースをさらに増やさなくても受け入れ枚数を増加でき、硬貨の入金枚数制限による販売機会の減少を抑えることができる。
【００１１】
【発明の実施の形態】
以下、本発明の実施の形態を、自動販売機の硬貨処理装置に適用した場合を例に図面を参照して詳細に説明する。
【００１２】
図１は本発明の硬貨処理装置の概略を示す図である。
硬貨処理装置は、投入硬貨の真贋判定、金種判定、および各金種の投入硬貨枚数をカウントする硬貨選別手段１と、硬貨選別手段１にて判定された硬貨を振り分ける硬貨振り分け手段２と、硬貨選別手段１にて正貨と判定された硬貨を一時保留しておく投入硬貨一時保留手段３と、投入硬貨一時保留手段３にて一時保留された硬貨を各金種別に収納する硬貨収納手段４と、硬貨選別手段１の判定結果に応じて、硬貨振り分け手段２を振り分け制御する制御手段５と、収金開始枚数および受け入れ禁止枚数を設定する枚数設定手段６と、正貨と判定された硬貨の枚数と収金開始枚数、および正貨と判定された硬貨の枚数と受け入れ禁止枚数とを比較して硬貨振り分け手段２を振り分け制御する一時保留枚数制御手段７と、枚数設定手段６にて設定された収金開始枚数および受け入れ禁止枚数を一時保留枚数制御手段７に入力する設定スイッチ８と、余剰硬貨を収納する金庫９と、投入硬貨や釣銭を返却する返却口１０とから構成されている。
【００１３】
枚数設定手段６では、正貨と判定された硬貨の枚数が一時保留可能枚数を超えた場合、正貨と判定された硬貨を、一時保留をせずに金庫９への収金を開始する収金開始枚数（第１設定値）と、正貨と判定された硬貨の枚数がある枚数を超えた場合、投入された硬貨をそのまま返却口１０へ戻し、以降の硬貨の受け入れを禁止する受け入れ禁止枚数（第２設定値）とを設定する。通常、収金開始枚数は硬貨処理装置の一時保留可能枚数とし、受け入れ禁止枚数は収金開始枚数よりも大きな値で任意に設定可能である。この収金開始枚数と受け入れ禁止枚数は、設定スイッチ８を通して一時保留枚数制御手段７に入力される。
【００１４】
一時保留枚数制御手段７は、まず、各投入硬貨について、硬貨選別手段１で正貨と判定された硬貨の枚数と収金開始枚数とを比較し、正貨と判定された硬貨の枚数が収金開始枚数に達するまでは正貨と判定された硬貨を投入硬貨一時保留手段３へ導き、正貨と判定された硬貨の枚数が収金開始枚数を超えて受け入れ禁止枚数に達するまでは正貨と判定された硬貨を金庫９へ導き、正貨と判定された硬貨の枚数が受け入れ禁止枚数を超えた場合は正貨と判定された硬貨を返却口１０へ戻し、以降の投入硬貨の受け入れを禁止するように硬貨振り分け手段２を制御する。すなわち、一時保留枚数制御手段７は、各金種の正貨と判定された硬貨の枚数と収金開始枚数、および正貨と判定された硬貨の枚数と受け入れ禁止枚数とを比較し、その結果に応じて硬貨振り分け手段２を振り分け制御する。
【００１５】
上記のように、硬貨処理装置において、投入硬貨一時保留手段３にて一時保留可能な枚数の収金開始枚数と、収金開始枚数より大きな受け入れ禁止枚数とを枚数設定手段６により設定して、一時保留枚数制御手段７により硬貨振り分け手段２を制御するようにしたので、一時保留できるスペースを増加させることなく、一時保留可能枚数よりも多い受け入れ禁止枚数まで硬貨の受け入れ枚数を増加でき、硬貨の入金枚数制限による販売機会の減少を抑えることができる。
【００１６】
次に、硬貨処理装置の構成について説明する。
図２は硬貨処理装置の外観構成を示す正面図である。硬貨処理装置は、自動販売機内に設置される装置であり、主に、硬貨投入口１１と、硬貨選別部１２と、受け入れ禁止枚数を設定する設定スイッチ１３と、硬貨振り分け兼一時保留部１４と、硬貨収納部１７と、硬貨収納部１７の硬貨を払い出す硬貨払い出し部１８と、余剰硬貨を収納する金庫１９と、硬貨払い出し部１８より払い出された硬貨を利用者に返却する返却口２０とから構成されている。
【００１７】
さらに、硬貨振り分け兼一時保留部１４は、硬貨投入口１１から投入され、硬貨選別部１２にて正貨と判定された硬貨を、設定スイッチ１３の設定に応じて、一時保留しておくか、硬貨収納部１７、金庫１９、返却口２０に振り分けるもので、硬貨を一時保留しておく部分は、硬貨の通路に退避可能に配置されたストッパ１５および硬貨分離レバー１６とを有している。これらストッパ１５および硬貨分離レバー１６は、各金種に対してそれぞれ設置可能であるが、本実施の形態では、偽貨による被害を受けやすい高額の５００円硬貨および１００円硬貨の２金種だけに設置してある。また、一時保留可能枚数は、５００円硬貨の場合は、スペースの関係上、収金開始枚数は２枚、受け入れ禁止枚数は４枚とし、１００円硬貨の場合は、収金開始枚数は３枚、受け入れ禁止枚数は６枚と設定している。
【００１８】
収金開始枚数と受け入れ禁止枚数の各値は、不揮発性メモリへの記憶、ディジタルスイッチ等により設定される。
設定スイッチ１３は、一時保留可能な枚数を超えた入金があった場合に、受け入れ枚数をそれ以上増加させるのか、従来通り受け入れを禁止するのかを設定するものであって、オンの場合には、追加受け入れを可能に設定し、オフの場合は追加の受け入れを禁止するよう設定する。
【００１９】
硬貨収納部１７は、硬貨チューブ１７ａ、１７ｂ、１７ｃ、１７ｄ、１７ｅを有している。硬貨チューブ１７ａ、１７ｂ、１７ｃ、１７ｄはそれぞれ５００円硬貨、１００円硬貨、１０円硬貨、５０円硬貨を収納する硬貨チューブであり、硬貨チューブ１７ｅは、補助釣銭用のチューブであり、釣銭専用の硬貨が収納される。
【００２０】
以上の構成の硬貨処理装置において、硬貨投入口１１より硬貨が投入されると、硬貨選別部１２にて金種などが判定され、５００円硬貨または１００円硬貨の場合は、硬貨振り分け兼一時保留部１４に設けられたストッパ１５にて通路が塞がれることで一時保留される。投入硬貨が５０円硬貨または１０円硬貨の場合は、硬貨振り分け兼一時保留部１４が振り分けを行って、投入硬貨を該当金種の硬貨チューブ１７ｄ、１７ｃへ導き、収納する。
【００２１】
一時保留された硬貨は、商品の販売または硬貨の返却操作が行われるまで保留され、さらに、同一金種の硬貨が投入されると、５００円硬貨の場合は２枚、１００円硬貨の場合は３枚までそこに一時保留される。これら一時保留枚数を超えた入金があると、設定スイッチ１３がオンであれば、硬貨振り分け兼一時保留部１４は、その硬貨を金庫１９への通路へ導き、オフであれば、返却口２０への通路へ導く。なお、設定スイッチ１３がオンの場合は、あらかじめ設定された受け入れ禁止枚数以上に投入された硬貨は、返却口２０へ戻される。
【００２２】
次に、５００円硬貨が投入された場合を例にして硬貨振り分け兼一時保留部１４について説明する。
図３は硬貨振り分け兼一時保留部の模式図である。硬貨振り分け兼一時保留部は、硬貨選別部１２の下流に配置されていて、硬貨を一時保留する通路と金庫１９または返却口２０へ導く通路との分岐点に揺動可能に配置されたゲート２１と、このゲート２１から硬貨を金庫１９または返却口２０へ導く通路の下流にあって、金庫１９へ導く通路と返却口２０へ導く通路との分岐点に揺動可能に配置されたゲート２２と、硬貨を一時保留する通路の途中に配置されて図面左右方向にスライド可能なストッパ１５と、ストッパ１５によって最下位に保留されている硬貨と、次に保留される硬貨との間に、これらを分離するよう配置されて図面左右方向にスライド可能な硬貨分離レバー１６と、ストッパ１５の下流にあって、投入硬貨を硬貨チューブ１７ａに導く通路と金庫１９または返却口２０へ導く通路との分岐点に揺動可能に配置されたゲート２３とから構成されている。
【００２３】
硬貨選別部１２から硬貨振り分け兼一時保留部１４に５００円硬貨Ｃ１が落下してくるとき、ゲート２１は図中時計回り方向に揺動し、５００円硬貨Ｃ１は一時保留する通路を落下し、ストッパ１５により通路の途中で落下が阻止され、一時保留される。続けて５００円硬貨Ｃ２が投入されると、同様に一時保留する通路を落下し、５００円硬貨Ｃ１の上流側に一時保留される。
【００２４】
投入硬貨枚数が５００円硬貨の収金開始枚数である２枚に達すると、ゲート２１は図中反時計回り方向に、ゲート２２は図中時計回り方向にそれぞれ揺動し、さらに５００円硬貨の投入があると、この５００円硬貨は金庫１９へ導かれる。
【００２５】
さらに、投入硬貨枚数が５００円硬貨の受け入れ禁止枚数である４枚に達すると、ゲート２１は図中反時計回り方向に位置したままで、ゲート２２が図中反時計回り方向に揺動し、以降の投入硬貨は返却口２０へ導かれる。
【００２６】
５００円硬貨Ｃ１、Ｃ２が投入されてから商品が購入されることなく硬貨の返却操作が行われると、ストッパ１５が通路を開放する。これにより、保留されていた５００円硬貨Ｃ１、Ｃ２は通路を落下し、ゲート２３で振り分けられて返却口２０に送られる。一時保留している金額以上の硬貨を受け入れている場合には返却が必要なので、硬貨チューブ１７ａに収納されている５００円硬貨の中から必要枚数が払い出される。
【００２７】
一方、５００円硬貨Ｃ１、Ｃ２が保留されているときに商品の購入がなされると、ゲート２３は図中時計回りに揺動し、ストッパ１５が通路を開放する。これにより、５００円硬貨Ｃ１、Ｃ２は通路を落下し、ゲート２３で振り分けられて硬貨チューブ１７ａに送られる。
【００２８】
上記の説明では、５００円硬貨の場合を例としているが、１００円硬貨の場合も同様に実施可能である。
次に、投入硬貨の振り分け制御について説明する。
【００２９】
図４は硬貨振り分け処理の全体的な流れを示すフローチャートである。
まず、硬貨選別部１２にて投入硬貨の真贋判定および金種の判定が行われる（ステップＳ１）。投入硬貨が５００円硬貨であるか否かが判定され（ステップＳ２）、５００円硬貨である場合には、５００円硬貨処理がなされる（ステップＳ３）。投入硬貨が５００円硬貨でない場合には、１００円硬貨であるか否かが判定され（ステップＳ４）、１００円硬貨である場合には、１００円硬貨処理がなされる（ステップＳ５）。投入硬貨が１００円硬貨でない場合には、５０円硬貨であるか否かが判定され（ステップＳ６）、５０円硬貨である場合には、５０円硬貨の硬貨チューブへ導く通路に送られる。投入硬貨が５０円硬貨でない場合には、１０円硬貨であるか否かが判定され（ステップＳ７）、１０円硬貨である場合には、１０円硬貨の硬貨チューブへ導く通路に送られる。１０円硬貨でもない場合、すなわち、投入硬貨が正貨と認められないと判定された場合には、投入硬貨は返却口へ戻される。
【００３０】
次に図４のステップＳ３の５００円硬貨処理について説明する。
図５は５００円硬貨処理の流れを示すフローチャートである。
まず、投入されて正貨と判定された５００円硬貨の枚数が、収金開始枚数である２枚に達しているかが判断され（ステップＳ２１）、２枚に達していない場合、図３に示したゲート２１は図中時計回り方向に揺動し、ゲート２２、２３、ストッパ１５および硬貨分離レバー１６は図３に示した状態にあり、５００円硬貨は一時保留される。５００円硬貨の枚数が、２枚を超えた場合には、受け入れ禁止枚数の設定スイッチ１３がオンであるか否かが判断される（ステップＳ２２）。設定スイッチ１３がオフであれば、ゲート２１を図中反時計回り方向に揺動し、５００円硬貨は返却口２０に送られる。設定スイッチ１３がオンであれば、５００円硬貨の枚数が受け入れ禁止枚数である４枚に達しているか否かが判断される（ステップＳ２３）。４枚を超えた場合には、ゲート２１を図中反時計回り方向に揺動することで、５００円硬貨は返却口２０に送られる。４枚以下の場合には、５００円の硬貨の硬貨チューブ１７ａに、返却分の硬貨が貯えられているか否かが判断され（ステップＳ２４）、硬貨チューブ１７ａに硬貨が貯えられていない場合、５００円硬貨は返却口２０に送られる。硬貨チューブ１７ａに、返却分の硬貨が十分確保されている場合には、ゲート２１を図中反時計回り方向に、ゲート２２を図中時計回り方向に揺動して、５００円硬貨は金庫１９へ導かれる。
【００３１】
次に図４のステップＳ５の１００円硬貨処理について説明する。
図６は１００円硬貨処理の流れを示すフローチャートである。
まず、投入されて正貨と判定された１００円硬貨の枚数が、収金開始枚数である３枚に達しているかが判断され（ステップＳ３１）、３枚に達していない場合、図３に示したゲート２１は図中時計回り方向に揺動し、ゲート２２、２３、ストッパ１５および硬貨分離レバー１６は図３に示した状態にあり、１００円硬貨は一時保留される。１００円硬貨の枚数が、３枚を超えた場合には、受け入れ禁止枚数の設定スイッチ１３がオンであるか否かが判断される（ステップＳ３２）。設定スイッチ１３がオフであれば、ゲート２１を図中反時計回り方向に揺動することで、１００円硬貨は返却口２０に送られる。設定スイッチ１３がオンであれば、１００円硬貨の枚数が受け入れ禁止枚数である６枚に達しているか否かが判断される（ステップＳ３３）。６枚を超えた場合には、ゲート２１を図中反時計回り方向に揺動することで、１００円硬貨は返却口２０に送られる。６枚以下の場合には、１００円硬貨の硬貨チューブ１７ｂに、返却分の硬貨が貯えられているか否かが判断され（ステップＳ３４）、硬貨チューブ１７ｂに硬貨が貯えられていない場合、１００円硬貨は返却口２０に送られる。硬貨チューブ１７ｂに、返却分の硬貨が十分確保されている場合には、ゲート２１を図中反時計回り方向に、ゲート２２を図中時計回り方向に揺動して、１００円硬貨は金庫１９へ導かれる。
【００３２】
上記のステップＳ３およびＳ５の硬貨処理は、収金開始枚数を超えて受け入れ禁止枚数に達するまでの投入硬貨を金庫に導くようにした。しかし、硬貨チューブの収納状態に余裕がある場合には、投入硬貨一時保留部に一時保留された硬貨の１枚を硬貨チューブに収納してしまい、それによって空いたスペースに、次に投入された硬貨を一時保留部しておくこともできる。
【００３３】
次に、一時保留された硬貨を硬貨チューブに収納して一時保留枚数を増加させる処理について説明する。
図７は、５００円硬貨処理の別の処理の流れを示すフローチャートである。
【００３４】
まず、投入されて正貨と判定された５００円硬貨の枚数が、収金開始枚数である２枚に達しているかが判断され（ステップＳ４１）、２枚に達していない場合、図３に示したゲート２１は図中時計回り方向に揺動し、ゲート２２、２３、ストッパ１５および硬貨分離レバー１６は図３に示した状態にあり、５００円硬貨は一時保留される。５００円硬貨の枚数が、２枚を超えた場合には、受け入れ禁止枚数の設定スイッチ１３がオンであるか否かが判断される（ステップＳ４２）。設定スイッチ１３がオフであれば、ゲート２１を図中反時計回り方向に揺動することで、５００円硬貨は返却口２０に送られる。設定スイッチ１３がオンであれば、５００円硬貨の枚数が受け入れ禁止枚数である４枚に達しているか否かが判断される（ステップＳ４３）。４枚を超えた場合には、ゲート２１を図中反時計回り方向に揺動することにより、５００円硬貨は返却口２０に送られる。４枚以下の場合には、硬貨チューブ１７ａが満杯か否かが判断され（ステップＳ４４）、硬貨チューブ１７ａが満杯でなければ、ゲート２３を図中時計回り方向に揺動し、硬貨分離レバー１６が図面右側にスライドして通路を塞ぎ、これに連動してストッパ１５が図面左側にスライドして通路から退避することで、一時保留されている先頭の５００円硬貨が１枚だけ硬貨チューブ１７ａに導かれる。次いで、ストッパ１５は図面右側にスライドして再び通路を塞ぎ、これに連動して硬貨分離レバー１６が図面左側にスライドして再び通路から退避し、次の投入硬貨を一時保留部に導くことが可能となる。ステップＳ４４において、硬貨チューブ１７ａが満杯の場合には、ゲート２１を図中反時計回り方向に、ゲート２２を図中時計回り方向に揺動することで、５００円硬貨は金庫１９に導かれる。
【００３５】
図８は、１００円硬貨処理の別の処理の流れを示すフローチャートである。
まず、投入されて正貨と判定された１００円硬貨の枚数が、収金開始枚数である３枚に達しているかが判断され（ステップＳ５１）、３枚に達していない場合、図３に示したゲート２１は図中時計回り方向に揺動し、ゲート２２、２３、ストッパ１５および硬貨分離レバー１６は図３に示した状態にあり、１００円硬貨は一時保留される。１００円硬貨の枚数が、３枚を超えた場合には、受け入れ禁止枚数の設定スイッチ１３がオンであるか否かが判断される（ステップＳ５２）。設定スイッチ１３がオフであれば、ゲート２１を図中反時計回り方向に揺動することで、１００円硬貨は返却口２０に送られる。設定スイッチ１３がオンであれば、投入硬貨の枚数が受け入れ禁止枚数である６枚に達しているか否かが判断される（ステップＳ５３）。６枚を超えた場合には、ゲート２１を図中反時計回り方向に揺動することで、１００円硬貨は返却口２０に送られる。６枚以下の場合には、硬貨チューブ１７ｂが満杯か否かが判断され（ステップＳ５４）、硬貨チューブ１７ｂが満杯でなければ、ゲート２３を図中時計回り方向に揺動し、硬貨分離レバー１６が図面右側にスライドして通路を塞ぎ、これに連動してストッパ１５が図面左側にスライドして通路から退避する。その結果、一時保留されている先頭の１００円硬貨が１枚だけ硬貨チューブ１７ｂに導かれる。次いで、ストッパ１５は図面右側にスライドして再び通路を塞ぎ、これに連動して硬貨分離レバー１６が図面左側にスライドして再び通路から退避し、次の投入硬貨を一時保留部に導くことが可能となる。ステップＳ５４において、硬貨チューブ１７ｂが満杯の場合には、ゲート２１を図中反時計回り方向に、ゲート２２を図中時計回り方向に揺動することで、１００円硬貨は金庫１９に導かれる。
【００３６】
上記の実施の形態では、５００円および１００円の金種を適用した場合を例にしたが、他の金種についても、同様に適用することができる。
【００３７】
【発明の効果】
以上説明したように、本発明では、投入硬貨一時保留手段にて一時保留可能な枚数の収金開始枚数と、収金開始枚数より大きな受け入れ禁止枚数とを枚数設定手段により設定して、収金開始枚数より多く投入された硬貨は金庫へ収納し、受け入れ禁止枚数よりも多く投入された硬貨は返却する構成にした。これにより一時保留のためのスペースをさらに増やさなくても受け入れ枚数を増加でき、硬貨の入金枚数制限による販売機会の減少を抑えることができる。
【図面の簡単な説明】
【図１】本発明の硬貨処理装置の概略を示す図である。
【図２】硬貨処理装置の外観構成を示す正面図である。
【図３】硬貨振り分け兼一時保留部の模式図である。
【図４】硬貨振り分け処理の全体的な流れを示すフローチャートである。
【図５】５００円硬貨処理の流れを示すフローチャートである。
【図６】１００円硬貨処理の流れを示すフローチャートである。
【図７】５００円硬貨処理の別の処理の流れを示すフローチャートである。
【図８】１００円硬貨処理の別の処理の流れを示すフローチャートである。
【符号の説明】
１  硬貨選別手段
２  硬貨振り分け手段
３  投入硬貨一時保留手段
４  硬貨収納手段
５  制御手段
６  枚数設定手段
７  一時保留枚数制御手段
８  設定スイッチ
９  金庫
１０  返却口
【図１】
0004325116.tif 000002
【図２】
0004325116.tif 000003
【図３】
0004325116.tif 000004
【図４】
0004325116.tif 000005
【図５】
0004325116.tif 000006
【図６】
0004325116.tif 000007
【図７】
0004325116.tif 000008
【図８】
0004325116.tif 000009